(57)【要約】【課題】挿入口の両側に設けた縦ローラーを備えた搬入装置によってディスクを引き込むことが出来るディスク装置の上記挿入口内側にディスクを挟み込む可撓弾性部材を設けてディスクの両面並びにディスク外周に付着した汚れを除去する方法の提供。【解決手段】ディスク面に接する可撓弾性部材である上フェルト３２及び下フェルト３３の先端から縦スリット３５と横スリット３６を繋いだ概略Ｌ形スリットを形成して単独で撓み変形可能なフェルト片３７を作り、ディスク４が通過する際に該フェルト片３７がディスク外周３８に接することで付着している汚れを除去することが出来る。【選択図】        図１
2004310964.tif 000002
【特許請求の範囲】
【請求項１】
挿入口の両側に設けた縦ローラーを備えた搬入装置によってディスクを引き込むことが出来るディスク装置の上記挿入口内側にディスクを挟み込む可撓弾性部材を設けてディスクの両面に付着した汚れを除去する方法において、ディスク面に接する可撓弾性部材の先端からスリットを形成して単独で撓み変形可能な可撓弾性片を作り、ディスクが通過する際に該可撓弾性片がディスク外周に接することで付着している汚れを除去することを特徴とするディスク装置におけるディスクの汚れ除去方法。
【請求項２】
上記スリットは縦スリットと横スリットを繋いだ概略Ｌ形スリットとして撓み変形可能な可撓弾性片を設けた請求項１記載のディスク装置におけるディスクの汚れ除去方法。
【請求項３】
ディスク面に接する可撓弾性部材の先端から傾斜スリットを形成して単独で撓み変形可能な可撓弾性片を設けた請求項１記載ディスク装置におけるディスクの汚れ除去方法。
【請求項４】
上可撓弾性部材に形成した可撓弾性片と下可撓弾性部材に形成した可撓弾性片とは互いに位置ズレして設けた請求項１、請求項２、又は請求項３記載のディスク装置におけるディスクの汚れ除去方法。
【請求項５】
挿入口の両側に設けた縦ローラーを備えた搬入装置によってディスクを引き込むことが出来るディスク装置の上記挿入口内側にディスクを挟み込む可撓弾性部材を設けてディスクの両面に付着した汚れを除去する方法において、上可撓弾性部材の先端及び下可撓弾性部材の先端を凹凸状として互いに噛み合わせ、ディスクが通過することで外周に付着している汚れを除去することを特徴とするディスク装置におけるディスクの汚れ除去方法。
【請求項６】
上記凹凸の高さをディスク厚さより小さくした請求項５記載のディスク装置におけるディスクの汚れ除去方法。
【請求項７】
挿入口の両側に設けた縦ローラーを備えた搬入装置によってディスクを引き込むことが出来るディスク装置の上記挿入口内側にディスクを挟み込む可撓弾性部材を設けてディスクの両面に付着した汚れを除去する方法において、可撓弾性部材として多数本の刷毛を中央側へ傾斜して設け、通過するディスク外周に接触することで、外周に付着している汚れを除去することを特徴とするディスク装置におけるディスクの汚れ除去方法。
【請求項８】
挿入口の両側に設けた縦ローラーを備えた搬入装置によってディスクを引き込むことが出来るディスク装置の上記挿入口内側にディスクを挟み込む可撓弾性部材を設けてディスクの両面に付着した汚れを除去する方法において、可撓弾性部材にはヒダを折り曲げて形成することで単独で撓み変形する可撓弾性部を設け、該可撓弾性部が通過するディスク外周に接触して付着している汚れを除去することを特徴とするディスク装置におけるディスクの汚れ除去方法。
【請求項９】
挿入口の両側に設けた縦ローラーを備えた搬入装置によってディスクを引き込むことが出来るディスク装置の上記挿入口内側にディスクを挟み込む可撓弾性部材を設けてディスクの両面に付着した汚れを除去する方法において、可撓弾性部材には概略円弧状の湾曲部を形成することで単独で撓み変形する可撓弾性部を設け、該可撓弾性部が通過するディスク外周に接触して付着している汚れを除去することを特徴とするディスク装置におけるディスクの汚れ除去方法。
【発明の詳細な説明】
【０００１】
【発明の属する技術分野】
本発明はディスク装置において、挿入口から挿入する際にディスク両面及び外周に付着している汚れを取除くことが出来る方法に関するものである。
【０００２】
【従来の技術】
ディスク装置はＣＤやＤＶＤ等のディスクをターンテーブルに装着した状態で回転しながら、情報の記録・再生を行なう訳で、上記ターンテーブルに装着する方法は色々ある。その代表的な方法は、前進・後退動するトレーに載せて装置本体へ挿入する方法であり、又ディスクを挿入口から一部挿入すると、装置内部に設けていて引き込むことが出来る搬入装置によって、所定の位置まで引き込んでターンテーブルに装着する方法がある。
【０００３】
本発明が対象とするディスク装置は、後者の方法によってターンテーブルに装着する型式のディスク搬入装置である。このディスク装置にはフロントパネルに細い挿入口が設けられているだけであり、該挿入口からディスクの一部が挿入されることで、ターンテーブルまで搬入して装着される。
【０００４】
図１１はディスク装置１のフロントパネル２に設けた挿入口３にディスク４の一部が挿入されている場合を示している。このディスク装置１の挿入口３にディスク４を一部挿入するならば、内蔵されている搬入装置により引き込まれてターンテーブルに装着される。そして、取り出す際には、同じ搬入装置によって挿入口３から排出される。
【０００５】
ディスク装置の搬入用ローラーとしては色々な形態が知られているが、特開昭６３−２９８７６１号に係る「ディスクプレーヤー」に備えているローラー５ａ，５ｂは水平軸を備えて上下ローラー５ａ，５ｂにてディスク４を挟み込んで搬入することが出来る。そして、図１２に示すように、挿入口３の内側（裏側）にはディスク４に付着している汚れを取除く為のフェルト６ａ，６ｂが取付けられている。ディスク４は挿入口３から挿入されて、上下フェルト６ａ，６ｂ間を通過することで、ディスク面に付着している汚れが除去される。その為に、搬入ローラー５ａ，５ｂには該汚れが付着せず、該汚れによってディスク面にキズが付くことはなく、又スリップすることなく搬入される。
【０００６】
しかし、上記水平ローラー５ａ，５ｂはディスク４の記録面に接して搬入するように構成していて、その為に、汚れはなくても記録面をキズ付ける虞がある。従って、搬入用ローラーは記録面ではなくディスク外周に当って回転することで、装置内へ搬入するよう構成した方が好ましい。図１３はディスク搬入装置を示す他の具体例である。挿入口３の左側には第１駆動ローラー７がシャーシの定位置に取付けられ、該第１駆動ローラー７の軸を中心として揺動するアーム８を設けると共に、該アーム８の先端には第２駆動ローラー９を取付けている。又、第１駆動ローラー７には第１ギヤ１０が同心を成して取着され、第２駆動ローラー９にも第２ギヤ１１が同心を成して取付けられている。
【０００７】
そして、アーム８には中間ギヤ１２が上記第１ギヤ１０と第２ギヤ１１との間に介在して互いに噛み合い、第１駆動ローラー７が所定のモーターによって回転駆動するならば、上記第１ギヤ１０、中間ギヤ１２、及び第２ギヤ１１を介して第２駆動ローラー９は回転する。又、第２駆動ローラー９は揺動するアーム８の先端に取付けられている為に、該アーム８の揺動によってその位置は変化する。すなわち、挿入口３から挿入されるディスク４の位置に応じて、ディスク外周に当接することが出来るようにアーム８は揺動することが出来る。
【０００８】
一方、挿入口３の右側には第１ローラー１３がスライダー１４に回転自在に軸支され、同じく第２ローラー１５もスライダー１４に回転自在に軸支されている。そして、該スライダー１４はガイド溝（図示なし）に沿って外方向へ移動することが出来る。すなわち、挿入口３から挿入されるディスク４の位置に応じて、第１ローラー１３及び第２ローラー１５がディスク外周に当接することが出来るようにスライダーは外方向へ移動する。
【０００９】
又、スライダー１４には右リンク１６が取着されて挿入口側（中央側）へ延び、上記アーム８には別の左リンク１７が連結し、そして軸１８を中心として回動自在に成っている中リンク１９の両先端には、上記右リンク１６の先端及び左リンク１７の先端が夫々連結している。右リンク１６はスライダー１４から延びていて揺動はしない為に、先端に形成された長穴２０に中リンク１９の連結ピン２１が遊嵌している。
【００１０】
ところで、挿入口３からディスク４が挿入されるならば、同図に示しているように、該ディスク４の外周は第１駆動ローラー７と第１ローラー１３に当接する。挿入口３からディスク４が挿入されたことをセンサーが感知して上記第１駆動ローラー７がモーターによって回転する。回転方向はディスク４が内部へ引き込まれる方向であり、該ディスク４をさらに手前から押圧するならば、内部へ引き込まれる。
【００１１】
ここで、ディスク４が挿入口３から進入するにしたがって、第１駆動ローラー７と第１ローラー１３間距離は拡大する為に、第１ローラー１３はスライダー１４と共に外方向へ移動する。ただし、第１ローラー１３がディスク外周に常に接するようにバネ力が付勢されている。このバネ力を付勢する手段は限定されず、スライダー１４に直接付勢する場合、中リンク１９の軸１８にコイルバネを取付けて該中リンク１９が時計方向に回動するように付勢することも出来るが、同図に示す具体例では、左リンク１７と右リンク１６間にコイルスプリング２２を連結している。
【００１２】
そして、ディスク４がさらに進入するならば奥側へ移動し、左側の第２駆動ローラー９と右側の第２ローラー１５に当接する。すなわち、ディスク４は第１駆動ローラー７と第２駆動ローラー９、及び第１ローラー１３と第２ローラー１５の４個のローラーによって挟まれ、第１駆動ローラー７と第２駆動ローラー９が共に回転駆動することにより、ディスク４は奥側へ搬入される。少なくともこの位置まで達するならば、手でディスク後方を押圧しなくても独りで搬入される。
【００１３】
同図では４個のローラーにて挟まれた状態は表していないが、この状態からさらに奥側へ引き込まれることで、ディスク４はターンテーブルの位置に達する。ところで、これら第１駆動ローラー７、第２駆動ローラー９、及び第１ローラー１３、第２ローラー１５はディスク外周に当接して該ディスク４を装置内へ確実に搬入することが出来るように構成している。
【００１４】
そこで、このような垂直ローラー（縦ローラー）を備えた搬入装置の場合、従来のようなフェルトでは第１駆動ローラー、第２駆動ローラー、第１ローラー、第２ローラーに汚れが付着してしまう。すなわち、ディスク両面の汚れは上下フェルト６ａ，６ｂにて除去出来るが、ディスク外周に付着している汚れを取り去ることは出来ない。
【００１５】
図１４は上フェルト６ａと下フェルト６ｂに挟まれてディスク４が通過する場合を示しているが、同図から明らかなように外周には隙間２３，２３が形成される。この隙間により、上下フェルト６ａ，６ｂはディスク４の外周に接することが出来ず、外周に付着している汚れは除去されることはない。すなわち、ディスク４が通過することで、ディスク４と接する部分の上下フェルト６ａ，６ｂは圧縮変形するが、ディスク４と接しない為に圧縮変形しない他の部分との境界では上記隙間２３，２３が発生する。
【００１６】
【発明が解決しようとする課題】
このように、従来のディスク汚れ除去方法には上記のごとき問題がある。本発明が解決しようとする課題はこの問題点であり、ディスクの両面のみならず、ディスク外周に付着している汚れを除去して、スリップすることなく安定した搬入／排出を行うことが出来るようにしたディスクの汚れ除去方法を提供する。
【００１７】
【課題を解決する為の手段】
本発明に係るディスクの汚れ除去方法は、ディスク挿入口から挿入する場合に、ディスク上下面に付着した汚れを除去すると共に、ディスク外周に付着している汚れを取除くことが出来るように構成している。そこで、ディスクが挿入口から挿入されて、挿入口内側に設けている可撓弾性部材はディスクの通過に伴ってディスク上下面に接するが、同時にディスク外周に接して外周に付着している汚れを取り去る。
【００１８】
上下可撓弾性部材の先端が直線状を成して接していたり又は近接しているだけでは、ディスクが通過しても上下面には接するが外周面付近には隙間が発生して接することはない。すなわち、上下可撓弾性部材はディスクを挟むことで、厚さ分だけ圧縮変形するが、ディスクに接しない領域では圧縮変形しない為に、両境界部と成るディスク外周付近には隙間が発生する。
【００１９】
この隙間によってディスク外周に付着している汚れを除去することが出来ないために、本発明では可撓弾性部材にスリットを形成し、該スリットにて単独で撓み変形する可撓弾性片を作り、この可撓弾性片がディスク外周に接して汚れを除去することが出来る。ここでスリット形状に関しては限定しないことにする。又、スリットの他にも、弛み片を設けたり、先端に小さな凹凸部を形成する等して、上下可撓弾性部材間を通過するディスク外周部に隙間を発生することなく、外周に接するようにしている。以下、本発明に係る実施例を図面に基づいて詳細に説明する。
【００２０】
【実施例】
図１は本発明に係るディスクの汚れ除去方法に供される可撓弾性部材を示す実施例であり、挿入口の内側に設けている可撓弾性部材と成るフェルト３１を示している。ディスクの汚れを除去する為には、上フェルト３２と下フェルト３３から成り、上下フェルト３２，３３が対を成して先端３４，３４は互いに接しているか、又は僅かな隙間を残して近接している。そして、（ｂ）に部分拡大図を示すように、上フェルト３２には縦スリット３５，３５・・が等間隔で設けられ、この縦スリット３５，３５・・の先端には横スリット３６，３６・・が形成されている。従って、スリット形状はＬ形を成してフェルト先端部に等間隔で設けられている。
【００２１】
一方、下フェルト３３にも縦スリット３５，３５・・が等間隔で設けられ、この縦スリット３５，３５・・の先端には横スリット３６，３６・・が形成されている。従って、スリット形状は同じくＬ形を成してフェルト先端部に等間隔で設けられている。そして、上スリット３２に設けているＬ形スリットと下フェルト３３に設けているＬ形スリットはその位置を僅かに違わせて配列している。
【００２２】
ところで、ディスク４が上下フェルト間を通過する場合、上フェルト先端３４と下フェルト先端３４にディスク上下面が接し、ディスク両面は上下フェルト先端を滑動する。上下フェルト先端部はディスク面に接して後方（内側）へ撓み変形し、ディスク面に付着している汚れを取り去ることが出来る。一方、縦スリット３５と横スリット３６によって形成しているＬ形スリットはフェルト先端部にフェルト片３７を形成し、このフェルト片３７はフェルト先端部とは独立して撓み変形することが出来る。すなわち、通過するディスク外周に押されて後方へ撓み変形する。
【００２３】
今、ディスク４が移動してその外周がフェルト片３７に接する場合、該フェルト片３７は後方へ撓むことになる。図２はこの状態を示し、外周３８はフェルト片３７に接しながら移動することで外周３８に付着している汚れは除去される。そして、ディスク４がさらに移動するならば下フェルト３３に設けているフェルト片３７に接し、該フェルト片３７が同じく後方へ撓み変形して外周３８は滑動することで付着している汚れが除去される。さらに、ディスク４が移動するならば、上フェルト３２のフェルト片３７に接し、該フェルト片３７を後方へ撓み変形させながら移動し、付着している汚れが除去される。このように、一定間隔で設けたフェルト片３７，３７・・がディスク４の移動に伴って順次外周３８に接することが出来る。
【００２４】
このように、ディスク４が上下フェルト間を通過する場合、ディスク４を挟み込む領域（長さ）は次第に大きくなり、この領域の拡大に伴って接するフェルト片３７は外側へ順次移行することが出来る。そして、上フェルト３２に形成したＬ形スリットの横スリット３６の先端は下フェルト３３に形成したＬ形スリットの縦スリット３５の位置に成るように、その位置を互いにズラすならば、上フェルト３２のフェルト片３７から離れると同時に下フェルト３３のフェルト片３７に接することが出来る。従って、ディスク４の外周３８がフェルト片３７に順次接しながら上下フェルト３２，３３を通過することが出来る。
【００２５】
図３は本発明の他の実施例である。該上下フェルト３２，３３には傾斜したスリットを設けている。このように傾斜スリット３９，３９・・を形成することで、（ｂ）に部分拡大図を示すごとく上フェルト３２にはフェルト片４０，４０・・が設けられ、同じく下フェルト３３にもフェルト片４０，４０・・が等間隔で設けられている。従って、上下フェルト間をディスク４が通過する場合、ディスク４を挟み込む領域（長さ）は次第に大きくなり、この領域の拡大に伴って接するフェルト片４０は外側へ順次移行することが出来る。そして、上フェルト３２に形成した傾斜スリット３９，３９・・の先端が下フェルト３３に形成した傾斜スリット３９，３９・・の位置付近に成るように、その位置が互いにズレていて、上フェルト３２のフェルト片４０から離れると同時に下フェルト３３のフェルト片４０に接することが出来る。従って、ディスク４の外周３８がフェルト片４０，４０・・に順次接しながら上下フェルト３２，３３を通過することが出来る。
【００２６】
図４は本発明の他の実施例である。同図に示す汚れ除去方法は上フェルト３２と下フェルト３３を用い、上下フェルト間をディスク４が通過することで、上下面に付着している汚れを除去できる。そして、この上下フェルト３２，３３は円弧を成した凸状のフェルト部４１，４１・・が等間隔で設けられている。従って、ディスク４が移動する場合、その外周３８が凸状のフェルト部４１に接して付着している汚れが除去される。
【００２７】
図５はこの状態を示しており、フェルト部４１との接触が開始した（ａ）の状態からさらに移動することで、（ｂ）のように凸状のフェルト部４１が変形してディスク外周３８になじむことが出来る。すなわち、外周３８になじんだフェルト部４１にて付着している汚れは除去される。
【００２８】
図６も本発明に係る他の実施例であり、前記図３に示した傾斜スリット３９，３９・・を形成した上下フェルト３２，３３を２枚重ねした構造と成っている。従って、１枚目の上下フェルト３２，３３によって除去出来なかった汚れは後方にある２枚目の上下フェルト３２，３３にて除去することが出来る。そして、この２枚構造は何も傾斜スリットを形成した場合に限るものではなく、図１に示すＬ形スリットを形成している上下フェルトに関しても同じである。さらに、スリットの形状の異なる上下フェルトを２枚組することも可能である。
【００２９】
図７（ａ）、（ｂ）に示す汚れ除去方法に使用されるフェルトはカーテンのように折り曲げられたヒダにてフェルト部４２，４２・・を設けている。同図に示す上下フェルト３２，３３をディスク４が通過する場合の拡大図を図８（ａ）、（ｂ）に示すように、ビダ状のフェルト部４２にディスク外周３８が接し、ディスク４が移動することで該フェルト部４２が変形して外周３８になじむことになる。ここで、上下フェルト３２，３３は挿入口内側に固定されるが、ヒダ状のフェルト部４２は固定することなくフリーな状態とすることでディスク外周３８になじみ変形し易く、付着した汚れが除去され易くなる。
【００３０】
図９は可撓弾性部材として上記フェルトの代わりに刷毛４３，４３・・を設けた汚れ除去方法を示している。同図に示すように刷毛４３，４３・・は挿入口の上側及び下側から延びて中央方向に傾斜して設けられている。従って、ディスク４が間を通過する場合、中央方向へ傾斜した刷毛４３，４３・・の先端がディスク外周３８に接することで、外周３８に付着している汚れが除去される。勿論、上下刷毛４３，４３・・の間に挟み込まれたディスク４は、その上下面に付着している汚れが除去される。そして、刷毛４３，４３・・の長さは均一でなく、中央は長いが両側は短くなっている。従って、短い刷毛４３，４３・・によってディスク外周部が挟持される為に、挿入口から挿入されるディスク４は安定した位置決めがなされる。
【００３１】
図１０は上下フェルト３２，３３の先端を等間隔で配列した三角形としている。そして上下フェルト３２，３３の三角形は互いに噛み合っていて、三角形の高さはディスク厚さより小さくしている。従って、比較的小さな三角形である。小さな三角形の凹凸部である為に、外観的には従来の汚れ除去形態であるが、この小さな三角形凹凸間をディスク４が通過することで、外周３８に接して付着している汚れを取除くことが出来る。
【００３２】
ディスク４を挟み込んでいる領域では三角形が後方へ撓み変形しているが、ディスク外周３８が上下フェルト３２，３３に噛み込む瞬間は、三角形凸部の傾斜辺が変形して接することになる。この三角形の凹凸が存在しない従来のフェルトの場合、ディスク４を噛み込んでいる領域ではフェルトが圧縮されるが、その外周は僅かな隙間が形成される。この実施例では、ディスク外周付近に隙間を発生しないように、小さな三角形凸部を設けている。
【００３３】
ディスクを噛み込んでいる領域では、三角形が後方へ撓み変形することで、フェルト全体が圧縮されることなく、その為にディスク外周での隙間を発生しない。図１０の（ａ）はフェルト先端に三角形の凹凸を形成した場合であるが、（ｂ）のように円形凹凸を形成することも出来る。以上述べたように、本発明の汚れ除去方法は、挿入口の内側にフェルトなどの可撓弾性部材を設け、この可撓弾性部材には通過するディスク外周に接する可撓弾性片などを形成したもので、次のような効果を得ることが出来る。
【００３４】
【発明の効果】
本発明に係る汚れ除去方法は、ディスクの上下面に付着した汚れのみならず、外周に付着している汚れも除去することが出来る。すなわち、フェルトなどの上下可撓弾性部材は単独で撓み変形する可撓弾性片や可撓弾性部を有している為に、ディスクが間を通過することで外周に接して付着している汚れが取除かれる。従って、ディスクの外周を挟み込んで搬入することが出来る縦型ローラーに汚れが付着することはなく、その結果、該縦型ローラーはディスクとの間に滑りを生じないで安定した搬入／排出を行い得る。
【図面の簡単な説明】
【図１】Ｌ形スリットを形成したフェルト。
【図２】フェルト片が撓み変形してディスク外周に接している場合。
【図３】傾斜スリットを形成したフェルト。
【図４】円弧状のフェルト部を設けたフェルト。
【図５】円弧状フェルト部が変形してディスク外周に接している場合。
【図６】２重構造のフェルト。
【図７】ヒダを折り曲げてフェルト部を形成したフェルト。
【図８】図７のフェルト部が変形してディスク外周に接している場合。
【図９】刷毛を備えた可撓弾性部材。
【図１０】先端を凹凸化したフェルト。
【図１１】ディスク装置の正面挿入口からディスクを挿入する場合。
【図１２】挿入口の内側に設けてディスク上下面の汚れを除去するフェルト。
【図１３】縦型ローラーを備えたディスク搬入装置。
【図１４】ディスク外周に発生する隙間。
【符号の説明】
３１  フェルト
３２  上フェルト
３３  下フェルト
３４  先端
３５  縦スリット
３６  横スリット
３７  フェルト片
３８  外周
３９  傾斜スリット
４０  フェルト片
４１  フェルト部
４２  フェルト部
４３  刷毛
【図１】
2004310964.tif 000003
【図２】
2004310964.tif 000004
【図３】
2004310964.tif 000005
【図４】
2004310964.tif 000006
【図５】
2004310964.tif 000007
【図６】
2004310964.tif 000008
【図７】
2004310964.tif 000009
【図８】
2004310964.tif 000010
【図９】
2004310964.tif 000011
【図１０】
2004310964.tif 000012
【図１１】
2004310964.tif 000013
【図１２】
2004310964.tif 000014
【図１３】
2004310964.tif 000015
【図１４】
2004310964.tif 000016